(57)【特許請求の範囲】
【請求項１】
総会を管理するための方法であって、
コンピュータに接続されたスキャナが、マークシート用紙の全面を読み取るステップであって、前記マークシート用紙は、第１の構成員識別情報、構成員の出欠識別情報、および前記総会における議案に対する前記構成員の議決権行使識別情報を含む、ステップと、
前記コンピュータが、
第２の構成員識別情報および前記構成員の議決権数情報を含む構成員情報を取得するステップと、
前記スキャナから、前記読み取られた前記マークシート用紙の画像データを受信するステップと、
前記受信した画像データから、前記第１の構成員識別情報、前記出欠識別情報、および前記議決権行使識別情報を判定するステップと、
前記議案に対する可決基準情報を受信するステップと、
前記判定した第１の構成員識別情報と、前記第２の構成員識別情報とを関連付けることによって、前記判定した第１の構成員識別情報に対応する第１の構成員情報を判定するステップと、
前記判定した出欠識別情報に基づいて、前記構成員の前記総会への出欠に対する第１の回答を集計するステップと、
前記判定した第１の構成員情報、および前記判定した議決権行使識別情報に基づいて、前記構成員の前記議案に対する第２の回答を集計するステップと、
前記受信した可決基準情報、および前記集計した第２の回答に基づいて、前記議案に対する可否を判定するステップと、
前記集計した第１の回答、前記集計した第２の回答、および前記判定した可否を含む集計情報を出力するステップと
を備えたことを特徴とする方法。
【請求項２】
前記コンピュータは、表示部を備え、
前記方法は、前記コンピュータが、
前記受信した画像データから、判定エラー情報を識別するステップと、
前記表示部に、前記画像データの前記判定エラー情報に対応する部分と、前記判定エラー情報の修正入力を受け付けるインタフェースとを表示するステップと、
前記修正入力に基づいて、前記出力した集計情報を修正するステップと
をさらに備えたことを特徴とする請求項１に記載の方法。
【請求項３】
前記コンピュータが、
前記表示部に、前記出力した集計情報を表示するステップであって、前記表示した集計情報の前記識別した判定エラー情報に対応する部分が強調表示される、ステップ
をさらに備えたことを特徴とする請求項２に記載の方法。
【請求項４】
前記コンピュータが、
前記識別した判定エラー情報のエラー種別を判定するステップをさらに備え、
前記表示した集計情報の前記識別した判定エラー情報に対応する部分は、前記判定したエラー種別に基づいて強調表示される
ことを特徴とする請求項３に記載の方法。
【請求項５】
前記マークシート用紙は、委任先識別情報をさらに含み、
前記方法は、前記コンピュータが、
前記受信した画像データから、前記委任先識別情報を判定するステップと、
前記判定した委任先識別情報と、前記第２の構成員識別情報とを関連付けることによって、前記判定した委任先識別情報に対応する第２の構成員情報を判定するステップと
をさらに備え、
前記第２の回答は、前記判定した第２の構成員情報にさらに基づいて集計される
ことを特徴とする請求項１乃至４のいずれか一項に記載の方法。
【請求項６】
前記コンピュータが、
前記議案に対する集計方法を受信するステップと、
前記受信した集計方法に基づいて、前記構成員の前記議案に対して予め集計された回答数を受信するステップと
をさらに備えたことを特徴とする請求項１乃至５のいずれか一項に記載の方法。
【請求項７】
前記コンピュータが、
前記集計した第１の回答、および所定の総会開催基準情報に基づいて、前記総会の開催に対する成否を判定するステップを備え、
前記出力した集計情報は、前記判定した成否を含む
ことを特徴とする請求項１乃至６のいずれか一項に記載の方法。
【請求項８】
前記集計情報は、ＰＤＦ、表計算シート、またはＣＳＶの形式で出力されることを特徴とする請求項１乃至７のいずれか一項に記載の方法。
【請求項９】
請求項１乃至８のいずれか一項に記載の方法をコンピュータに実行させるためのプログラム。
【請求項１０】
請求項９に記載のプログラムを記録したコンピュータ可読記憶媒体。
【請求項１１】
プロセッサとメモリを備えたコンピュータであって、前記メモリは前記プロセッサに請求項１乃至８のいずれか一項に記載の方法を実行させるプログラムを記録したことを特徴とするコンピュータ。
【発明の詳細な説明】
【技術分野】
【０００１】
本発明は、投票集計システムに関し、特に、本発明は、集合住宅の管理組合を含む所定の団体において実施される総会への出欠、および団体で提起された議案に対する投票結果を管理する投票集計システムに関する。
【背景技術】
【０００２】
マンションなどに代表される集合住宅では、居住者によって構成される管理組合によって、建物の施設や修繕などが管理され、建物の補修、管理費の変更などを組合員（居住者）による投票によって決議されることが多い。通常、管理組合は、上述した管理費の変更などの議案について説明および議決するための総会を定期的に開催する。総会においては、組合員の総会への出欠、および議案に対する可否を、出欠用紙および投票用紙のそれぞれを使用して集計する。
【０００３】
上記出欠用紙は、組合員が総会に対する出席または欠席を示すように記載する欄が設けられる。また、出欠用紙は、総会を欠席する場合に、他人に議決権行使を委任するための当該他人の氏名などを記載する欄が設けられ、および／または総会に先立って各議案に対する可否（例えば、議案に対する賛成、反対、または棄権など選択する欄）を記載する欄が設けられる。投票用紙は、各議案に対する可否を記載する欄が設けられる。出欠用紙は、総会に先立って組合員に配布され、投票用紙は、総会の開催前または当日に組合員に配布される。
【０００４】
集合住宅の管理組合は、組合員から提出された出欠用紙および投票用紙を集計する。従来では、このような集計を手動で行い、表計算ソフトウェアなどを使用して（表計算シートに集計結果を記入することによって）、組合員の出欠および投票結果を管理していた。このような出欠および投票結果の管理方法は、特殊なソフトウェアおよび技術を必要とせず、最も簡易な管理方法である。
【先行技術文献】
【特許文献】
【０００５】
【特許文献１】特開２０１３−２５７７３３号公報
【発明の概要】
【発明が解決しようとする課題】
【０００６】
上記管理方法は、集計作業に甚大な労力を要し、手作業での集計であるので、集計ミスが発生するといった問題を有している。また、投票結果などを表計算シートにおいて入力および更新するといった作業も発生し、この作業がさらに労力を要するものとなる。さらに、投票結果などのエビデンスを保存することができないといった問題も有している。
【０００７】
特許文献１には、マンションの総会を運営する総会運営者用の総会運営者端末と、マンションの区分所有者用の構成員端末と、総会支援サーバとから構成されるマンションの総会支援システムが開示されている。このマンションの総会支援システムでは、総会支援サーバと構成員端末との間で、総会への出欠および投票に関する情報がやり取りされる。
【０００８】
しかしながら、特許文献１は、マンションの構成員のそれぞれが構成員端末を保有する必要があり、構成員端末を有しない構成員が議決権の行使をすることができないといった問題を有している。
【０００９】
また、構成員端末を保有していても、総会の会場は必ずしも、データ送信ネットワークに接続することができる環境であるとは限らず、やはり、議決権を行使することができない場合が発生する。
【００１０】
さらに、特許文献１に係る総会支援システムは、出欠フォームを出力し、当該出力フォームに含まれた、回答情報などが格納されたＱＲコード（登録商標）を読み取ることによって出欠などを判定しているが、「賛成」または「反対」などのそれぞれの回答情報が格納されたそれぞれのＱＲコードのいずれかを読み取る必要があるため、読み取るべきＱＲコードを誤ることによる集計ミスが発生するといった問題を有している。
【００１１】
加えて、上述した特許文献１に開示された出欠フォームは、個々の構成員専用のＱＲコードが記載された用紙になるため、郵送用の封入作業や、ポスト投函時にミスがあった場合、他人が誤った投票をしてしまうという問題を有している。この場合、本人を特定する方法がないので、誰がどこで間違えたのかを追跡することは容易ではない。
【００１２】
さらにまた、特許文献１に係る総会支援システムのような電子投票を実施するには、管理規約を変更する必要があり、導入までに住民説明や合意形成が必要であり、導入が困難となる問題を有している。また、総会前や当日に、投票方法（操作方法）などに関する問い合せが発生し、総会進行の妨げになるといった問題も有している。
【００１３】
さらにまた、特許文献１に係る総会支援システムは、上述した回答情報が格納された出欠フォームを誤って読み取った場合、読み取りが不十分で、情報を取得できなかった場合等に、容易に修正を受け付ける手段を提供するものではない。
【００１４】
本発明はこのような問題に鑑みてなされたものであり、その目的とするところは、集合住宅などの管理組合で実施される総会などの出欠および議案への投票に使用する出欠用紙および投票用紙を正確かつ効率的に集計し、集計結果を総会および／または集合住宅ごとに変更する投票集計システムを提供することにある。
【課題を解決するための手段】
【００１５】
上記の課題を解決するために、本発明に係る投票集計システムの第１の態様は、総会を管理するための方法であって、コンピュータに接続されたスキャナによって、マークシート用紙の全面を読み取るステップであって、前記マークシート用紙は、第１の構成員識別情報、構成員の出欠識別情報、および前記総会における議案に対する前記構成員の議決権行使識別情報を含む、ステップと、前記コンピュータによって、第２の構成員識別情報および前記構成員の議決権数情報を含む構成員情報を取得するステップと、前記スキャナから、前記読み取られた前記マークシート用紙の画像データを受信するステップと、前記受信した画像データから、前記第１の構成員識別情報、前記出欠識別情報、および前記議決権行使識別情報を判定するステップと、前記議案に対する可決基準情報を受信するステップと、前記判定した第１の構成員識別情報と、前記第２の構成員識別情報とを関連付けることによって、前記判定した第１の構成員識別情報に対応する第１の構成員情報を判定するステップと、前記判定した出欠識別情報に基づいて、前記構成員の前記総会への出欠に対する第１の回答を集計するステップと、前記判定した第１の構成員情報、および前記判定した議決権行使識別情報に基づいて、前記構成員の前記議案に対する第２の回答を集計するステップと、前記受信した可決基準情報、および前記集計した第２の回答に基づいて、前記議案に対する可否を判定するステップと、前記集計した第１の回答、前記集計した第２の回答、および前記判定した可否を含む集計情報を出力するステップとを備えたことを特徴とする。
【００１６】
また、本発明に係る投票集計システムの第２の態様は、本発明に係る投票集計システムの第１の態様において、前記コンピュータは、表示部を備え、前記方法は、前記コンピュータによって、前記受信した画像データから、判定エラー情報を識別するステップと、前記表示部に、前記画像データの前記判定エラー情報に対応する部分と、前記判定エラー情報の修正入力を受け付けるインタフェースとを表示するステップと、前記修正入力に基づいて、前記出力した集計情報を修正するステップとをさらに備えたことを特徴とする。
【００１７】
また、本発明に係る投票集計システムの第３の態様は、本発明に係る投票集計システムの第２の態様において、前記コンピュータによって、前記表示部に、前記出力した集計情報を表示するステップであって、前記表示した集計情報の前記識別した判定エラー情報に対応する部分が強調表示される、ステップをさらに備えたことを特徴とする。
【００１８】
また、本発明に係る投票集計システムの第４の態様は、本発明に係る投票集計システムの第３の態様において、前記コンピュータによって、前記識別した判定エラー情報のエラー種別を判定するステップをさらに備え、前記表示した集計情報の前記識別した判定エラー情報に対応する部分は、前記判定したエラー種別に基づいて強調表示されることを特徴とする。
【００１９】
また、本発明に係る投票集計システムの第５の態様は、本発明に係る投票集計システムの第１乃至第４の態様のいずれかにおいて、前記マークシート用紙は、委任先識別情報をさらに含み、前記方法は、前記コンピュータによって、前記受信した画像データから、前記委任先識別情報を判定するステップと、前記判定した委任先識別情報と、前記第２の構成員識別情報とを関連付けることによって、前記判定した委任先識別情報に対応する第２の構成員情報を判定するステップとをさらに備え、前記第２の回答は、前記判定した第２の構成員情報にさらに基づいて集計されることを特徴とする。
【００２０】
また、本発明に係る投票集計システムの第６の態様は、本発明に係る投票集計システムの第１乃至第５の態様のいずれかにおいて、前記コンピュータによって、前記議案に対する集計方法を受信するステップと、前記受信した集計方法に基づいて、前記構成員の前記議案に対して予め集計された回答数を受信するステップとをさらに備えたことを特徴とする。
【００２１】
また、本発明に係る投票集計システムの第７の態様は、本発明に係る投票集計システムの第１乃至第６の態様のいずれかにおいて、前記コンピュータによって、前記集計した第１の回答、および所定の総会開催基準情報に基づいて、前記総会の開催対する成否を判定するステップを備え、前記出力した集計情報は、前記判定した成否を含むことを特徴とする。
【００２２】
また、本発明に係る投票集計システムの第８の態様は、本発明に係る投票集計システムの第１乃至第７の態様のいずれかにおいて、前記集計情報は、ＰＤＦ、表計算シート、またはＣＳＶの形式で出力されることを特徴とする。
【００２３】
また、本発明に係る投票集計システムの第９の態様は、本発明に係る投票集計システムの第１乃至第８の態様における方法をコンピュータに実行させるためのプログラムである。
【００２４】
また、本発明に係る投票集計システムの第１０の態様は、本発明に係る投票集計システムの第９の態様におけるプログラムを記録したコンピュータ可読記憶媒体である。
【００２５】
また、本発明に係る投票集計システムの第１１の態様は、プロセッサとメモリを備えたコンピュータであって、前記メモリは前記プロセッサに本発明に係る投票集計システムの第１乃至第８の態様におけるいずれかの方法を実行させるプログラムを記録したことを特徴とする。
【発明の効果】
【００２６】
本発明に係る投票集計システムによれば、総会への出欠を示す出欠用紙、および議案に対する回答を示す投票用紙を正確かつ効率的に集計することが可能であり、かつ、集計結果の修正を容易に行うことができる。
【図面の簡単な説明】
【００２７】
【図１】本発明の一実施形態に係る投票集計システムを実現するコンピュータシステム全体の構成の例を示す図である。
【図２】本発明の一実施形態に係る投票集計システムを実現するコンピューティングデバイスの詳細な例を示す図である。
【図３】本発明の一実施形態に係る投票集計システムの処理の例を示すフローチャートである。
【図４】本発明の一実施形態に係る名簿データの例を示す図である。
【図５】本発明の一実施形態に係る出欠マークシートおよび投票マークシートの例を示す図である。
【図６】本発明の一実施形態に係る集計設定画面の例を示す図である。
【図７】本発明の一実施形態に係るデータ確認・修正画面の例を示す図である。
【図８】本発明の一実施形態に係るデータ確認・修正画面の例を示す図である。
【図９】本発明の一実施形態に係る投票集計設定・表示画面の例を示す図である。
【発明を実施するための形態】
【００２８】
図１は、本発明の一実施形態に係る投票集計システムを実現するコンピュータシステム全体の構成の例を示している。本実施形態に係る投票集計システムは、投票集計プログラム提供サーバ１、管理端末２、およびスキャナ３を備えている。投票集計プログラム提供サーバ１は、専用線、またはインターネットなどの公衆回線を含むネットワーク４を介して、管理端末２に接続されている。また、管理端末２は、ＵＳＢケーブルなどを介してスキャナ３に接続されている。
【００２９】
投票集計プログラム提供サーバ１は、本実施形態に係る投票集計システムを実現するプログラム（以下、「投票集計プログラム」と称する）を提供するコンピューティングデバイスである。投票集計プログラム提供サーバ１は、管理端末２からのダウンロード要求に応答して、投票集計プログラムを管理端末２に送信する。なお、投票集計プログラム提供サーバ１は、コンピューティングデバイス、または複数のコンピューティングデバイスで実装されてもよい。
【００３０】
管理端末２は、投票集計プログラム提供サーバ１から投票集計プログラムをダウンロードして、ダウンロードした投票集計プログラムを実行するコンピュータ端末である。管理端末２には、表計算ソフトウェアおよび／または文書作成ソフトウェアなどのアプリケーションソフトウェアが格納されており、それらのソフトウェアを使用して、後述する名簿データを作成する。また、管理端末２には、ＯＣＲ（optical character recognition）ソフトウェアが格納されており、当該ソフトウェアを実行することによって、スキャナ３から送信された画像データの情報を識別する。本実施形態では、管理端末２は、パーソナルコンピュータを想定しているが、そのような構成に限定されず、携帯電話などの携帯型情報端末機器、通信機能を備えるＰＤＡなどの情報端末機器であってもよい。
【００３１】
スキャナ３は、管理組合の構成員である組合員に配布にされ、組合員によってマークされた出欠マークシートおよび投票マークシートを読み取り、画像データを生成するための光学式読取デバイスである。スキャナ３によって生成された画像データは、管理端末２に送信され、出欠および回答が集計される。
【００３２】
次に、図２を参照して、本発明の一実施形態に係る投票集計システムを実現する各コンピューティングデバイスの詳細な例を説明する。
【００３３】
投票集計プログラム提供サーバ１は、通信部１１、制御部１２、主記憶部１３、および補助記憶部１４を備えており、それらの各要素がシステムバスを介して接続されている。
【００３４】
通信部１１は、ネットワーク４を介して接続された管理端末２から、投票集計プログラムダウンロード要求を受信し、および、管理端末２に投票集計プログラムを送信する。
【００３５】
制御部１２は、中央処理装置（ＣＰＵ）とも呼ばれ、上記各構成要素の制御やデータの演算を行い、また、補助記憶部１４に格納されている各種プログラムを主記憶部１３に読み出して実行する。
【００３６】
主記憶部１３は、メインメモリとも呼ばれ、投票集計プログラム提供サーバ１が受信した入力データ、コンピュータ実行可能な命令および当該命令による演算処理後のデータなどを記憶する。
【００３７】
補助記憶部１４は、ハードディスク（ＨＤＤ）などに代表される記憶装置であり、管理端末２に送信する投票集計プログラム１４ａを格納している。また、補助記憶部１４は、制御部１２に、本実施形態に係る各種処理を実行させるためのプログラム（図示せず）を格納している。
【００３８】
管理端末２は、通信部２１、制御部２２、主記憶部２３、補助記憶部２４、表示部２５、およびＩ／Ｏインタフェース２６を備えており、それらの各要素がシステムバスを介して接続されている。
【００３９】
通信部２１は、ネットワーク４を介して接続された投票集計プログラム提供サーバ１に、投票集計プログラムダウンロード要求を送信し、および、投票集計プログラム提供サーバ１から投票集計プログラムを受信する。
【００４０】
制御部２２は、中央処理装置であり、上記各構成要素の制御およびデータの演算を行い、投票集計プログラム提供サーバ１から受信した投票集計プログラム、および補助記憶部２４に格納された表計算ソフトウェアなどを実行する。
【００４１】
主記憶部２３は、メインメモリであり、管理端末２が受信した入力データ、コンピュータ実行可能な命令および当該命令による演算処理後のデータなどを記憶している。
【００４２】
補助記憶部２４は、ハードディスクなどの記憶装置であり、投票集計プログラム提供サーバ１から受信した投票集計プログラムを格納しており、また、表計算ソフトウェアなどのアプリケーションソフトウェア、およびＯＣＲソフトウェアなどを予め格納している。
【００４３】
表示部２５は、投票集計プログラムを実行することによって、後述する集計設定画面などを表示するディスプレイである。
【００４４】
Ｉ／Ｏインタフェース２６は、ＵＳＢまたはＳＣＳＩなどのデータ転送規格によって、スキャナ３と接続するインタフェースであり、それらのデバイスとの間でデータを送受信する。
【００４５】
次に、図３に示すフローチャートを参照して、本発明の一実施形態に係る投票集計システムの処理の例を説明する。まず、管理端末２の制御部２２は、補助記憶部２４に記憶された表計算ソフトウェアなどを実行する。そのような状態で、表示部２５に表示される、表計算シートにデータを入力することによって、名簿データ４００を作成する（ステップＳ３０１）。図４を参照して、本実施形態に係る、構成員情報を含む名簿データ４００を説明する。
【００４６】
＜名簿データ作成＞
名簿データ４００は、組合員によって提出される出欠マークシートおよび投票マークシートを集計することによって出力される、集計結果データを生成するためのデータである。集計結果データは、名簿データ４００からの情報を補足することによって生成されることになるが詳細は後述する。
【００４７】
図４に示すように、名簿データ４００は、項目「棟名」、「住戸番号」（「棟ＩＤ」および「部屋番号」）、「氏名」、「組合員番号」、「議決権数」、「役職」、および「備考」を備えている。
【００４８】
項目「棟名」および「住戸番号」はそれぞれ、組合員が居住する棟および部屋を識別する番号であり、「住戸番号」は、後述する集計結果データを生成する際に、出欠マークシートおよび投票マークシートの「住戸番号」欄と関連付けられる。
【００４９】
項目「議決権数」は、各組合員が有する議決権数であり、例えば、組合員が居住している部屋の面積などによって所定の議決権数が予め割り当てられている。項目「役職」は、組合員が議長または理事である場合に、それらの役職が設定される。項目「備考」は特記事項がある場合に、その内容が設定される。
【００５０】
上述した内容のデータを表計算シートに入力し、所定のファイル名で補助記憶部２４に記憶することによって、名簿データ４００が作成される。
【００５１】
＜出欠マークシートおよび投票マークシート＞
次に、出欠マークシートをスキャナ３で読み込むことになるが、図５を参照して、組合員に配布される出欠マークシートおよび投票マークシートについて説明する。図５では、総会前に事前に組合員に配布されることになる出欠マークシート５０１（図５（ａ））と、総会当日に組合員に配布されることになる投票マークシート５０２（図５（ｂ））とを示している。
【００５２】
出欠マークシート５０１は、出欠記入欄５０１ａ、委任状記入欄５０１ｂ、および議決権行使記入欄５０１ｃを備えている。出欠記入欄５０１ａは、組合員が居住する住戸番号（住戸番号によって組合員を識別する）、および総会に出席するか否かをマークする欄である。出欠記入欄５０１ａにおいてマークされた住戸番号が、集計結果データを生成する際に、名簿データ４００における項目「住戸番号」と関連付けられる。出欠記入欄５０１ａにおいて「出席」をマークした場合、マークされた住戸番号として識別される組合員の議決権が行使される。
【００５３】
委任状記入欄５０１ｂは、総会に欠席する場合（つまり、出欠記入欄５０１ａで「欠席」をマークした場合）、議長または代理人に議決権行使を委任するために、議長または代理人の住戸番号をマークする欄である（つまり、被委任組合員を識別する情報である）。委任状記入欄５０１ｂにおいて、「代理人」をマークした場合、委任状記入欄５０１ｂにおいてマークされた住戸番号として識別される組合員の議決権が代理行使される。委任状記入欄５０１ｂにおいて、「議長」をマークした場合、議長の議決権が代理行使される（議長である組合員は、名簿データ４００の項目「役職」に「議長」の値が設定されているので、議長である組合員を特定することができ、議長を代理人とした場合は、住戸番号のマークは不要となる）。
【００５４】
議決権行使記入欄５０１ｃは、総会に欠席する場合（つまり、出欠記入欄５０１ａで「欠席」をマークした場合）、自身の議決権を行使するために、各議案に対する回答（賛成、反対または棄権）をマークする欄である。総会に欠席する場合、委任状記入欄５０１ｂおよび議決権行使記入欄５０１ｃのいずれか一方のみをマークする必要がある。
【００５５】
投票マークシート５０２は、住戸番号記入欄５０２ａおよび議決権行使記入欄５０２ｂを備えている。住戸番号記入欄５０２ａは、組合員が居住する住戸番号をマークする欄であり、マークされた住戸番号が、集計結果データを生成する際に、名簿データ４００における項目「住戸番号」と関連付けられる。
【００５６】
議決権行使記入欄５０２ｂは、組合員が自身の議決権を行使するために、議決権行使の対象となる議案の番号、および当該議案に対する回答（賛成または反対）をマークする欄である。投票マークシート５０２は、議案ごとに配布されるものであり、すなわち、議案の数に対応した枚数の投票マークシート５０２が組合員に配布される。
【００５７】
＜出欠マークシートの集計＞
図３のフローチャートの説明に戻ると、図５で説明した出欠マークシート５０１が組合員によってマークされた後に、管理組合によって回収されるものとする。まず、管理端末２の補助記憶部２４に格納された投票集計プログラムを実行することによって、表示部２５に集計設定画面の初期画面（図示せず）が表示される。当該初期画面において、出欠マークシート５０１を読み取る旨のインジケータが選択され、出欠が集計された結果として出力されることになる集計結果データの出力ファイル名が入力される。このような状態で、組合員によってマークされた出欠マークシート５０１を、スキャナ３によって読み取ることによって（ステップＳ３０２）、読み取られた画像データが管理端末２に送信され（ステップＳ３０３）、管理端末２の制御部２２が、ＯＣＲソフトウェアを実行することによって、画像データのマークされた部分の情報を認識して、出欠（回答）を集計する。
【００５８】
ここで、特許文献１に係る発明では、「賛成」または「反対」などのそれぞれの回答情報が格納されたそれぞれのＱＲコードを読み取るのに対し、本実施形態では、出欠マークシート５０１をスキャナに通すことによって全面を読み取っている。したがって、特許文献１に係る発明では、誤って所望の回答情報とは別のＱＲコードを読み取るおそれがあるのに対し、本実施形態は、そのようなおそれがなく、また、出欠用紙をスキャナにセットすることのみによって、連続して出欠マークシート５０１を自動で読み取ることができる。
【００５９】
また、全組合員に対し、共通のフォーマットを有する出欠マークシート５０１および投票マークシートを配布するので、配布作業が容易であり、記入する部屋番号を間違えていても、名前を記入したりするなど、誰が間違えているのかを容易に把握することができる。
【００６０】
さらに、特許文献１に係る発明のように電子投票ではなく、紙媒体によって集計を行っていることから、管理規約の変更は不要となり、導入が容易となる。加えて、組合員がマークシートにマークするだけであるので、どの世代の人間でも書き方（塗り方）を容易に理解することができ、総会のスムーズな進行が可能となる。
【００６１】
出欠マークシート５０１をすべて読み取ると、管理端末２の表示部２５には、集計設定画面６００が表示される。図６を参照して、集計設定画面６００を説明する。
【００６２】
集計設定画面６００は、集計結果データ選択欄６０１、名簿データ設定欄６０２、および投票方法選択欄６０３を備えている。集計結果データ選択欄６０１は、１または複数の総会に関する集計結果データが存在する中で、対象の総会に関する集計結果データのファイル名を選択する欄である。集計結果データ選択欄６０１において選択されたファイル名として、集計結果データが出力される。
【００６３】
名簿データ設定欄６０２は、図４で説明した名簿データ４００のファイル名を入力する欄であり、選択された集計結果データを作成する際に、入力された名簿データ４００が関連付けられる。
【００６４】
投票方法選択欄６０３は、総会における各議案について、マークされた出欠マークシート５０１および／または投票マークシート５０２の集計によって議決するか、または、総会において、組合員の挙手を手動で集計することによって議決するかを選択する欄である。挙手による集計を選択した場合は、その対象議案は、出欠マークシート５０１および／または投票マークシート５０２においてマークされた対象の議案については集計されないことになる。
【００６５】
集計設定画面６００において、対象となる集計結果データのファイル名を選択し、および名簿データ４００のファイル名を入力して設定を保存する。制御部２２は、名簿データ設定欄６０２において入力されたファイル名に基づいて、補助記憶部２４に記憶された名簿データ４００を読み込む（ステップＳ３０４）。そして、制御部２２は、投票方法選択欄６０３において入力された投票方法に基づいて、ステップＳ３０３で受信した画像データのマークされた部分の情報を認識して、出欠マークシートを集計する（ステップＳ３０５）。
【００６６】
次に、制御部２２は、予め定義された総会の開催基準、およびステップＳ３０５で集計された出欠に基づいて、総会の開催可否を判定する（ステップＳ３０６）。なお、総会の開催基準は、集計設定画面６００などのインタフェースから、総会ごとの開催基準（成立／不成立）情報の入力を受け付けるような構成にしてもよい（例えば、全組合員の過半数の出席によって総会の開催成立など）。
【００６７】
次に、制御部２２は、ステップＳ３０５で集計した出欠に、ステップＳ３０４で読み込んだ名簿データ４００の内容を補足して、集計結果データを出力する（ステップＳ３０７）とともに、管理端末２の表示部２５に、データ確認・修正画面７００を表示する（ステップＳ３０８）。データ確認・修正画面７００には、集計した出欠および総会の開催可否が表示される。図７を参照して、データ確認・修正画面７００を説明する。
【００６８】
データ確認・修正画面７００は、出欠集計結果表示欄７０１、データ詳細表示・修正欄７０２、エラー検索欄７０３、選択行削除ボタン７０４、および行選択チェックボックス７０５を備えている。出欠集計結果表示欄７０１は、マークされた出欠マークシート５０１をスキャナ３によって読み込んで集計した各数字と、出欠を集計した結果、総会の開催の成立可否とを表示する。本実施形態では、出欠集計結果表示欄７０１における各項目が示す数字は、表１および表２の通りである。
【００６９】
【表１】
0005786103.tif 000002
【００７０】
【表２】
0005786103.tif 000003
【００７１】
データ詳細表示・修正欄７０２は、出欠マークシート５０１を読み取ることによって集計された組合員の出欠情報に対応する組合員情報の詳細を、名簿データ４００からの情報を補足して出力された集計結果データの各レコードを表示する欄である（本実施形態では、表計算シートの形式で表示される）。管理端末２の制御部２２が、出欠マークシート５０１の出欠記入欄５０１ａにおいてマークされた住戸番号を識別し、識別した住戸番号を、補助記憶部２４に格納された名簿データ４００の項目「住戸番号」に設定された値と関連付けることによって、対応する名簿データ４００を特定する。
【００７２】
項目「棟名」および「部屋番号」は、出欠マークシート５０１のマークされた出欠記入欄５０１ａを読み取ることによって識別された棟名および部屋番号が表示され、項目「組合員番号」、「議決権数」、「役職」および「備考」は、認識された棟名および部屋番号に対応する名簿データ４００の組合員番号などが表示される。項目「被委任組合員数」および「被委任議決権数」は、第三者から代理人として委任された場合（つまり、出欠マークシート５０１において、委任状記入欄５０１ｂの「代理人」がマークされ、かつ被委任組合員の住戸番号がマークされた場合、または、被委任組合員の役職が議長である場合に、委任状記入欄５０１ｂの「議長」がマークされた場合）、その委任した組合員の総数と、委任した組合員が持つ議決権数の総数とがそれぞれ表示される。項目「委任」については、自身が総会を欠席し、議決権を代理行使する場合に、その代理先となる情報が表示される（出欠マークシート５０１のマークされた委任状記入欄５０１ｂを読み取ることによって識別された情報が表示される）。
【００７３】
また、データ詳細表示・修正欄７０２は、例えば、出欠マークシート５０１に対するマークが不適切であることを理由に発生した集計エラーを修正するための機能を備えている。図８に示すように、データ詳細表示・修正欄７０２において、集計エラーが発生した項目を網掛け表示している。この網掛けする色は、例えば、マークした項目と名簿データの内容の不一致（名簿不一致エラー）、マークした住戸番号の重複（部屋番号重複エラー）、マーク必須の項目のいずれもマークされていない（空欄マークエラー）など、エラーの種別によって異なる色の網掛け表示がされる。
【００７４】
網掛けされた集計エラー項目を、マウスクリック、または指などによるタップ操作などを行うことによって、図８に示すように、修正ウインドウ７０６が表示される。修正ウインドウ７０６は、エラーデータ表示欄７０６ａ、マークシート画像表示欄７０６ｂ、およびデータ修正選択チェックボックス７０６ｃを備えている。エラーデータ表示欄７０６ａは、データ詳細表示・修正欄７０２において表示された、集計エラーの対象となる行を表示する。マークシート画像表示欄７０６ｂは、読み取られた出欠マークシート５０１の対象箇所の画像データを表示する。本実施形態では、出欠記入欄５０１ａにおいて、マークが不適切であり、出席または欠席であるかを認識することができない例を示している。データ修正選択チェックボックス７０６ｃは、集計エラーを補正するために画面上でチェック入力を受け付ける。本実施形態では、出欠記入欄５０１ａにおいて出席または欠席であるかのマークを認識することができないので、データ修正選択チェックボックス７０６ｃにおいて、出席または欠席の選択入力を受け付ける。
【００７５】
データ修正選択チェックボックス７０６ｃにおいて選択の入力を受け付けると、管理端末２の制御部２２は、選択入力に対応する値で、集計結果データを更新する。更新された集計結果データは、データ詳細表示・修正欄７０２に表示される。
【００７６】
ここで、データ詳細表示・修正欄７０２では、エラーの種別によって異なる色の網掛け表示がされているが、修正ウインドウ７０６によって修正することによって、修正した箇所を、再度、さらに異なる色の網掛けをしてもよい（例えば、空欄マークエラーに対して、黄色で網掛けされており、その空欄マークエラーを修正ウインドウ７０６への入力によって修正した場合、緑の網掛けに更新される）。このようにして、エラー種別およびそのエラーに対する修正をそれぞれ異なる色で網掛け表示することによって、エラーの内訳、および修正の内訳を理解することを容易にする。
【００７７】
図７に説明を戻すと、エラー検索欄７０３は、エラー種別ごとに集計エラーを１件ずつ表示するための選択を受け付ける。例えば、エラー検索欄７０３において、「名簿不一致エラー」のみをチェックすると、修正ウインドウ７０６に名簿不一致エラーの集計エラーレコードが１件ずつ表示される（「ＯＫボタン」を選択することによって、次のレコードに切り替わる）。
【００７８】
選択行削除ボタン７０４は、データ詳細表示・修正欄７０２に表示された行全体を削除する場合に使用される。削除する行に対応する行選択チェックボックス７０５にチェック入力をし、選択行削除ボタン７０４を押下することによって、集計結果データの選択行に対応するレコードが削除される。
【００７９】
＜投票マークシートの集計＞
図３のフローチャートに説明を戻すと、総会当日に、図５で説明した投票マークシート５０２が組合員によってマークされた後に、管理組合によって回収され、投票マークシートが集計される（ステップＳ３０９）。図９を参照して、本発明の一実施形態に係る投票マークシート５０２の集計方法を説明する。
【００８０】
まず、管理端末２の補助記憶部２４に格納された投票集計プログラムを実行することによって、表示部２５に投票集計設定・表示画面９００が表示される。
【００８１】
図９に示すように、投票集計設定・表示画面９００は、出欠集計結果表示欄９０１、可決基準選択欄９０２、投票数入力欄９０３、投票集計結果表示欄９０４、およびＰＤＦ出力ボタン９０５を備えている。出欠集計結果表示欄９０１は、図７で説明した、データ確認・修正画面７００の出欠集計結果表示欄７０１に対応する。
【００８２】
可決基準選択欄９０２は、対象の議案について、例えば賛成を示す議決権数の合計が出席者の過半数以上である場合に可決するか、議決権数の合計が４分の３以上である場合に可決するか、または団地もしくはマンションなどの建て替え決議において、棟単位の集計に基づいて可決するかなど、議案が可決するための基準を選択する欄である。
【００８３】
投票数入力欄９０３は、投票結果を手動で入力するための欄である。具体的には、対象の議案において、総会に出席している組合員の挙手を集計することによって、組合員数および議決権数を集計する場合（つまり、図６で説明した集計設定画面６００の投票方法選択欄６０３において、「挙手で投票」を選択した場合）、手動で集計した組合員数および議決権数を入力する欄である。投票数入力欄９０３は、対象の議案に対し、集計設定画面６００の投票方法選択欄６０３において、「挙手で投票」を選択した場合のみに表示されるようにしてもよい。
【００８４】
例えば、総会への出席者が少数であり、手動で集計した方が好ましい場合もある（特に、総会の欠席者の大多数が、出欠マークシート５０１において、委任状記入欄５０１ｂまたは議決権行使記入欄５０１ｃにマークしており、ほとんどの回答が集計されている場合）。このような場合、手動で挙手による投票を集計し、その集計した数を投票数入力欄９０３から入力することによって、集計した投票数（回答）を反映することができる。
【００８５】
対象の議案において、投票マークシートをスキャナ３で読み取ることによって組合員数および議決権数（回答）を集計する場合（つまり、図６で説明した集計設定画面６００の投票方法選択欄６０３において、「マークシートで投票」を選択した場合）、上記説明した出欠マークシート５０１の読み取りと同様に、マークされた投票マークシート５０２の全面をスキャナ３で読み取ることになる。可決基準選択欄９０２において、可決基準を選択した状態で、投票マークシート５０２をスキャナ３で読み取ると、組合員数および議決権数の集計が開始される。
【００８６】
投票集計結果表示欄９０４は、上記投票数入力欄９０３から入力された組合員数および議決権数（挙手で集計の場合）、または投票マークシート５０２を読み取ることによって集計された組合員数および議決権数（マークシートで投票の場合）を表示する。そして、集計した組合員数および議決権数から、可決基準選択欄９０２において選択された可決基準に基づいて、対象の議案に対する可決／否決を表示する。
【００８７】
ＰＤＦ出力ボタン９０５は、集計結果データをＰＤＦで出力することのトリガとなる操作ボタンである。集計結果データは、ＰＤＦ出力のみならず、表計算シートおよび／またはＣＳＶファイルなどで出力するように構成してもよい。
【００８８】
以上のように、本実施形態に係る投票集計システムの説明を詳述したが、実施形態で説明した、名簿データ４００などの具体的なデータ構造は例示的なものにすぎず、特許請求する事項から逸脱しない範囲で変更がされてもよい。例えば、プログラム提供サーバ１をＡＳＰ（Application Service Provider）サーバとして機能させ、管理端末２が出力した集計結果データをプログラム提供サーバ１に送信して、データ連携するように構成してもよい。
【符号の説明】
【００８９】
１    投票集計プログラム提供サーバ
２    管理端末
３    スキャナ
４    ネットワーク
４００    名簿データ
５０１    出欠マークシート
５０１ａ  出欠記入欄
５０１ｂ  委任状記入欄
５０１ｃ  議決権行使記入欄
５０２    投票マークシート
５０２ａ  住戸番号記入欄
５０２ｂ  議決権行使記入欄
６００    集計設定画面
６０１    集計結果データ選択欄
６０２    名簿データ設定欄
６０３    投票方法選択欄
７００    データ確認・修正画面
７０１    出欠集計結果表示欄
７０２    データ詳細表示・修正欄
７０３    エラー検索欄
７０４    選択行削除ボタン
７０５    行選択チェックボックス
７０６    修正ウインドウ
７０６ａ  エラーデータ表示欄
７０６ｂ  マークシート画像表示欄
７０６ｃ  データ修正選択チェックボックス
９００    投票集計設定・表示画面
９０１    出欠集計結果表示欄
９０２    可決基準選択欄
９０３    投票数入力欄
９０４    投票集計結果表示欄
９０５    ＰＤＦ出力ボタン
【要約】
【課題】総会における出欠および投票の集計を管理するシステムを提供する。
【解決手段】マークシート用紙の全面を読み取るステップと、第２の構成員識別情報および議決権数情報を含む構成員情報を取得するステップと、マークシート用紙の画像データを受信するステップと、画像データから、第１の構成員識別情報、出欠識別情報、および議決権行使識別情報を判定するステップと、議案に対する可決基準情報を受信するステップと、第１の構成員識別情報と第２の構成員識別情報とを関連付けることによって、第１の構成員情報を判定するステップと、出欠識別情報に基づいて、第１の回答を集計するステップと、第１の構成員情報および議決権行使識別情報に基づいて、第２の回答を集計するステップと、可決基準情報および第２の回答に基づいて、議案に対する可否を判定するステップと、第１および第２の回答ならびに可否を含む集計情報を出力するステップとを備える。
【選択図】図３【図１】
0005786103.tif 000004
【図２】
0005786103.tif 000005
【図３】
0005786103.tif 000006
【図４】
0005786103.tif 000007
【図５】
0005786103.tif 000008
【図６】
0005786103.tif 000009
【図７】
0005786103.tif 000010
【図８】
0005786103.tif 000011
【図９】
0005786103.tif 000012